(57)【特許請求の範囲】
【請求項１】
各種の音響信号処理機能を実現する要素を任意に結線することにより音響システムを構成する場合の当該音響システムの構成を作成編集する音響システム設定装置であって、
前記要素を表す要素オブジェクト、当該要素が備えている入出力端子を表すポートオブジェクト、および、当該ポートオブジェクト間の結線を表すワイヤオブジェクトを表示する表示部と、
前記入出力端子により通信される信号の形式には複数の種類があり、当該種類ごとに当該種類に属するポートオブジェクトおよびワイヤオブジェクトの表示色の色相、明度、および彩度を設定する第１の設定手段と、
前記ワイヤオブジェクトの表示色として、前記第１の設定手段により設定された色相、明度、および彩度のいずれも変更しない色を使うか、または、前記第１の設定手段により設定された色相は変更せずに明度もしくは彩度を変更した色を使うかを、前記種類ごとに設定する第２の設定手段であって、明度もしくは彩度を変更した色を使う場合にはその変更量を設定するものと、
前記表示部に前記ポートオブジェクトを表示するポートオブジェクト表示手段であって、当該ポートオブジェクトを当該ポートオブジェクトの種類に対して前記第１の設定手段により設定されている色相、明度、および彩度の色で表示するものと、
前記表示部に表示されたポートオブジェクト間に結線を引く指示がなされたとき、当該ポートオブジェクトの種類を検出する検出手段と、
前記検出手段により検出された種類に対して前記第２の設定手段により設定されている内容に応じて、当該種類に対して前記第１の設定手段により設定されている色相、明度、および彩度をそのまま使った色、または、前記第２の設定手段で設定された変更量に基づいて明度もしくは彩度を調整した色、のいずれかをワイヤオブジェクトの色として決定する決定手段と、
前記結線を引く指示がなされたポートオブジェクト間に、結線を表すワイヤオブジェクトを、前記決定手段により決定された色で表示するワイヤオブジェクト表示手段と
を備えることを特徴とする音響システム設定装置。
【請求項２】
各種の音響信号処理機能を実現する要素を任意に結線することにより音響システムを構成する場合の当該音響システムの構成を作成編集する処理を行うための音響システム設定プログラムであって、
コンピュータを、
前記要素を表す要素オブジェクト、当該要素が備えている入出力端子を表すポートオブジェクト、および、当該ポートオブジェクト間の結線を表すワイヤオブジェクトを表示する表示部と、
前記入出力端子により通信される信号の形式には複数の種類があり、当該種類ごとに当該種類に属するポートオブジェクトおよびワイヤオブジェクトの表示色の色相、明度、および彩度を設定する第１の設定手段と、
前記ワイヤオブジェクトの表示色として、前記第１の設定手段により設定された色相、明度、および彩度のいずれも変更しない色を使うか、または、前記第１の設定手段により設定された色相は変更せずに明度もしくは彩度を変更した色を使うかを、前記種類ごとに設定する第２の設定手段であって、明度もしくは彩度を変更した色を使う場合にはその変更量を設定するものと、
前記表示部に前記ポートオブジェクトを表示するポートオブジェクト表示手段であって、当該ポートオブジェクトを当該ポートオブジェクトの種類に対して前記第１の設定手段により設定されている色相、明度、および彩度の色で表示するものと、
前記表示部に表示されたポートオブジェクト間に結線を引く指示がなされたとき、当該ポートオブジェクトの種類を検出する検出手段と、
前記検出手段により検出された種類に対して前記第２の設定手段により設定されている内容に応じて、当該種類に対して前記第１の設定手段により設定されている色相、明度、および彩度をそのまま使った色、または、前記第２の設定手段で設定された変更量に基づいて明度もしくは彩度を調整した色、のいずれかをワイヤオブジェクトの色として決定する決定手段と、
前記結線を引く指示がなされたポートオブジェクト間に、結線を表すワイヤオブジェクトを、前記決定手段により決定された色で表示するワイヤオブジェクト表示手段と
を備えた音響システム設定装置として機能させるための音響システム設定プログラム。
【発明の詳細な説明】
【技術分野】
【０００１】
この発明は、音響システムの構成を表す構成画面上で各構成要素の接続関係を見やすく表示できる音響システム設定装置及びプログラムに関する。
【背景技術】
【０００２】
従来より、各種の音響機器を接続し全体として例えばミキサシステムのような音響システムを構成するものが知られている。そのような音響システムでは、全体の構成を表すような構成画面を表示し、ユーザが該構成画面上で各種の機器同士を結線し、全体の構成を表すような画面を作成できる機能を持つものがある。また、１つのミキサエンジンに関して、やはり同様のミキサ構成画面上で各種のコンポーネントを結線し、ミキサの全体としての構成を定義できるものが知られている。
【０００３】
このような構成画面では、構成要素を表す要素オブジェクトを呼び出して画面上に配置し、それらの構成要素間で結線を引いて全体構成を示す図を作成する。結線は、構成要素に設けられている端子（ポート）を選択しそれらのポート間を線で結んで結線するものである。ポートは、そのポートで入出力する信号の形式に応じたインターフェースを持つものであるので、そのインターフェースで種類分けされている。例えば、イーサネット（登録商標）用のポート、ディジタル音響信号用のポート、アナログ信号用のポート、ＭＩＤＩ信号用のポートなどである。結線は、基本的に同じ種類のポート同士を結ぶものである。
【０００４】
音響システムによっては、上述した構成画面上で構成要素（要素オブジェクト）のポートの種類毎に任意に色を設定できるものがあり、そのポートを設定された色で表示するものがある（例えば、下記非特許文献１）。結線された線の色は、その結線が繋がれているポートと同じ色にされ、これにより、どのような種類のポート間で結線が行われているかが分りやすく表示される。
【非特許文献１】「DME Designer Version 1.1 取扱説明書」、ヤマハ株式会社、2004年、第４章（特にp175-176）
【発明の開示】
【発明が解決しようとする課題】
【０００５】
ところで、上述した構成画面では、各構成要素のポートはその構成要素を表す画面上の要素オブジェクトの上に表示されるため、その色は薄い方が見やすい。一方、結線を表す線は色が濃い方が見やすい。従って、同じ濃さの同じ色で要素オブジェクト上のポートと結線を表示すると、ポートまたは結線の何れかが見えづらくなるという不都合があった。ポートと結線とで色を変えれば両者を区別して見えやすくすることは可能であるが、ポートと結線との対応関係を視覚的に簡単に認識させるためにできるだけ同じ色を使いたいという要求がある。
【０００６】
この発明は、音響システムの構成画面上で構成要素を表す要素オブジェクトのポートとポートとを結線する際に、ポートと結線の両方が見えやすくなるようにすることを目的とする。
【課題を解決するための手段】
【０００７】
上記目的を達成するため、本発明は、各種の音響信号処理機能を実現する要素を任意に結線することにより音響システムを構成する場合の当該音響システムの構成を作成編集する音響システム設定装置において、前記要素を表す要素オブジェクト、当該要素が備えている入出力端子を表すポートオブジェクト、および、当該ポートオブジェクト間の結線を表すワイヤオブジェクトを表示する表示部と、前記入出力端子により通信される信号の形式には複数の種類があり、当該種類ごとに当該種類に属するポートオブジェクトおよびワイヤオブジェクトの表示色の色相、明度、および彩度を設定する第１の設定手段と、前記ワイヤオブジェクトの表示色として、前記第１の設定手段により設定された色相、明度、および彩度のいずれも変更しない色を使うか、または、前記第１の設定手段により設定された色相は変更せずに明度もしくは彩度を変更した色を使うかを、前記種類ごとに設定する第２の設定手段であって、明度もしくは彩度を変更した色を使う場合にはその変更量を設定するものと、前記表示部に前記ポートオブジェクトを表示するポートオブジェクト表示手段であって、当該ポートオブジェクトを当該ポートオブジェクトの種類に対して前記第１の設定手段により設定されている色相、明度、および彩度の色で表示するものと、前記表示部に表示されたポートオブジェクト間に結線を引く指示がなされたとき、当該ポートオブジェクトの種類を検出する検出手段と、前記検出手段により検出された種類に対して前記第２の設定手段により設定されている内容に応じて、当該種類に対して前記第１の設定手段により設定されている色相、明度、および彩度をそのまま使った色、または、前記第２の設定手段で設定された変更量に基づいて明度もしくは彩度を調整した色、のいずれかをワイヤオブジェクトの色として決定する決定手段と、前記結線を引く指示がなされたポートオブジェクト間に、結線を表すワイヤオブジェクトを、前記決定手段により決定された色で表示するワイヤオブジェクト表示手段とを備えることを特徴とする。
【０００８】
また、本発明は、そのような音響システム設定装置を実現するプログラムを含む。
【０００９】
前記ワイヤオブジェクトの色の変更とは、例えば、音響システムの構成要素となる音響信号処理機能を表す要素オブジェクトを表示する際、その要素オブジェクト上に表示される信号の入出力端子を表すポートオブジェクトの色を、予めポートオブジェクトの種類毎に設定されている色（色相、彩度、及び明度）で表示するとともに、ポートオブジェクト間を接続する結線については、接続対象のポートオブジェクトの色に対して、同じ色相で、かつ、接続対象のポートオブジェクトの彩度および／または明度を所定の変更量だけ変更した彩度および／または明度で当該ポートオブジェクトの色より濃く見えるように表示するものである。
【発明の効果】
【００１０】
本発明によれば、ポートオブジェクトと線（ワイヤオブジェクト）との対応関係を視覚的に簡単に認識することができるとともに、ポートオブジェクトおよびワイヤオブジェクトの両方をみやすい色で表示できる。
【発明を実施するための最良の形態】
【００１１】
以下、図面を用いてこの発明を実施するための一形態例を説明する。
【００１２】
図１は、本発明の一実施形態である音響システムの構成例を示す。この音響システムは、パーソナルコンピュータ（ＰＣ）１０１、電子楽器１０２、ＣＤプレーヤ１０３、マイク１０４、ワードクロックマスター１０５、ミキサエンジン１０６，１０７，１０８、パワーアンプ１０９，１１０、及びスピーカ群１１１，１１２を備える。
【００１３】
ＰＣ１０１は、本発明に係る管理ソフトウエアをインストールしているＰＣである。この管理ソフトウエアを動作させることにより、ＰＣ１０１のディスプレイ上でこの音響システムの全体構成を示す画面（図３で詳述する）を表示して作成編集したり、ＰＣ１０１からミキサエンジンその他の機器を制御することができる。電子楽器１０２、ＣＤプレーヤ１０３、及びマイク１０４は、音響信号の入力源となる機器である。ワードクロックマスター１０５は、各音響機器にワードクロック（各機器を同期させるためのクロック信号）を供給する機器である。ミキサエンジン１０６〜１０８は、主としてＤＳＰ（ディジタルシグナルプロセッサ）から構成され、所定のマイクロプログラムを動作させることにより複数チャンネルのミキシング処理、効果付与処理、及び各種の波形加工処理などを行うことができる。パワーアンプ１０９，１１０は、ミキサエンジン１０７，１０８から出力されるアナログ音響信号を増幅するアンプである。スピーカ群１１１，１１２は、パワーアンプ１０９，１１０から出力されるアナログ音響信号を放音する複数のスピーカユニットである。
【００１４】
これら各部１０１〜１１２は、１２１〜１３１に示すように物理的に結線されている。結線１２１〜１３１は、それぞれ、所定の形式の信号をやり取りするための結線であり、各部１０１〜１１２はその結線を行うための所定種類のインターフェースのポートを備えている。例えば、１２１はネットワーク接続（ここではイーサネット（登録商標））の結線であり、ＰＣ１０１とミキサエンジン１０６は結線１２１で接続するためのイーサネットのポートを備えている。同様に、１２２はＭＩＤＩ信号を、１２３はディジタル音響信号を、１２４はアナログ音響信号を、１２５はワードクロック信号を、１２６，１２７は複数チャンネルのディジタル音響信号を、１２８，１２９は複数チャンネルのアナログ音響信号を、１３０，１３１は複数のスピーカユニットから放音するためのアナログ音響信号を、それぞれやり取りする結線である。
【００１５】
図２は、管理ソフトウェアをインストールしているＰＣ１０１の概略構成を示す。ＰＣ１０１は、中央処理装置（ＣＰＵ）２０１、リードオンリメモリ（ＲＯＭ）２０２、ランダムアクセスメモリ（ＲＡＭ）２０３、表示回路２０４、表示部２０５、検出回路２０６、操作部２０７、通信インターフェース（Ｉ／Ｆ）２０８、及び通信バス２０９を備える。
【００１６】
ＣＰＵ２０１は、管理ソフトウェアを実行する処理装置である。ＲＯＭ２０２は、電源投入時のスタートアップルーチンや低レベルＩ／Ｏ処理を司るＢＩＯＳなどを格納する不揮発性メモリである。ＲＡＭ２０３は、ＣＰＵ２０１が実行するプログラムをロードしたり各種ワーク領域を確保する揮発性メモリである。表示部２０５は、各種の情報を表示するディスプレイである。表示回路２０４は、ＣＰＵ２０１からの指示に基づいて、与えられたデータを表示部２０５に表示する。操作部２０７は、通常のパソコンが有するキーボードやマウスなどの操作子を示す。操作部２０７の操作は、検出回路２０６により検出され、検出結果がＣＰＵ２０１に送られる。通信Ｉ／Ｆ２０８は、ネットワーク１２１と接続するためのインターフェースである。
【００１７】
図３は、ＰＣ１０１で所定の管理ソフトウェアを動作させ、該ＰＣ１０１のディスプレイ上で図１で説明した音響システムの全体構成を作成編集する構成画面の例を示す。このような音響システムの全体構成を示す画面を作成編集し保存しておけば、後で該画面を表示することで現状の音響システムの全体構成を一目で把握することができる。
【００１８】
図３の画面３００において、ブロック３０１〜３１２は、それぞれ、図１の１０１〜１１２で示す各部に対応する要素オブジェクトである（番号の下２桁が同じもの同士が対応する）。ただし、図１のスピーカ群１１１，１１２は、それぞれ複数のスピーカユニットからなるものであるので、図３の画面３００ではスピーカ３１１−１〜４及び３１２−１〜４に分けて表示してある（これらのスピーカをまとめて番号３１１，３１２で代表させるものとする）。これらの要素オブジェクト３０１〜３１２は、それぞれ、所定の操作で機器の種類を指定して画面上に呼び出し、図に示す位置に配置したものである。例えば、３０１はＰＣを表す要素オブジェクトを呼び出してこの位置に配置したものであり、３０２は電子楽器を示す要素オブジェクトを呼び出してこの位置に配置したものである。
【００１９】
各要素オブジェクト３０１〜３１２は、その種類に応じて接続端子を表すポートオブジェクトを備えている。各要素オブジェクトがどのような種類のポートオブジェクトを幾つ備えるかは、その要素オブジェクトの属性情報（プロパティ）で決定されるものであり、ユーザはその属性情報を任意に設定できる。各要素オブジェクトの矩形の線上に付された小さな四角形３２１〜３４６が、それぞれ、その構成要素の機器の接続端子を示すポートオブジェクトである。各ポートオブジェクト３２１〜３４６は、図１で説明したように、当該ポートオブジェクトに対応するポートでやり取りする信号の形式に応じた種類を持つ。具体的には、ポートオブジェクト３２１，３２２はイーサネット用、３２３，３２４はＭＩＤＩ信号用、３２５，３２６はディジタル音響信号用、３２７，３２８はアナログ音響信号用、３２９，３３０，３３５，３３６，３３７，３３８はワードクロック信号用のポートを表すポートオブジェクトである。また、３３１〜３３４（及びそれらのポートオブジェクトの下側に並べた無番号のポートオブジェクト）は、それぞれ、１チャンネル分のディジタル音響信号用のポートを表すポートオブジェクトである。３３９〜３４２（及びそれらのポートオブジェクトの下側に並べた無番号のポートオブジェクト）は、それぞれ、１チャンネル分のアナログ音響信号用のポートを表すポートオブジェクトである。３４３，３４５及び各スピーカ３１１−１〜４，３１２−１〜４のポートオブジェクト（３４４，３４６など）はスピーカ駆動用のアナログ音響信号を流すポートを表すポートオブジェクトである。
【００２０】
ユーザは、図３の構成画面３００上で、これらのポートオブジェクトのうち種類の同じポート間を任意に結線することができる。３５１〜３６３はそれぞれ結線（ワイヤオブジェクト）を示す。結線は、その結線により接続されるポートの種類に応じた信号を流す接続線を示すものである。例えば、結線３５１はイーサネットの信号を、結線３５２はＭＩＤＩ信号を、３５３，３５６，３５７はそれぞれディジタル音響信号を、３５４，３６０〜３６３はアナログ音響信号を、それぞれ流す接続線を示している。また、ミキサエンジン３０６〜３０８の動作を同期させるため、ワードクロックマスター３０５から出力されたワードクロックを、ポート３２９，３３０間を繋ぐ結線３５５によりミキサエンジン３０６に供給し、ミキサエンジン３０６からポート３３５，３３６間を繋ぐ結線３５８によりミキサエンジン３０８に供給し、ミキサエンジン３０８からポート３３７，３３８間を繋ぐ結線３５９によりミキサエンジン３０７に供給している。
【００２１】
本実施形態の画面３００では、ポート及びポート間を接続する結線は、その種類に応じた色で表示する。例えば、ポート３２１，３２２とそれらの間の結線３５１はイーサネット用であるので、当該種類に割当てられている色で表示される。ただし、結線の色は、その結線で結ぶポートの色に対して、色相及び彩度は同じだが明度を下げた色（見た目では濃くなった色）に変更する。これにより、同じ種類のポートとその結線が同じ色合いになるのでポート間の接続関係が見易くなるとともに、相対的に見てポートの色は薄めで結線の色は濃いめとなるように変更するので、要素オブジェクト上のポートの表示も見易く、かつ結線の表示も見易くなる。ポートや結線のどの種類にどの色を割当てるかは、ユーザが任意に設定できる。また、結線の色を、同じ種類のポートの色からどの程度濃く変更するかを示す変更量（全く同じ明度にする場合も含む）も、ユーザが任意に設定できる。
【００２２】
図４は、ポート及び結線の種類毎の色を設定する設定画面４００の例を示す。この画面４００は、プレファレンス設定を指示する所定の操作が為されたときに表示される。４０１〜４０５は設定項目を示す見出しである。「Ports & Wires;」４０１の下に、「Ethernet」、「Digital Audio」、…のようにポートと結線の種類を示す表示がなされている。「Color」４０２の下側には、各種類に割り当てられている色を設定するための設定ボタンが表示されている。「Width」４０３の下側には、各種類の結線の太さを指定する太さ値入力領域が表示されている。「Type」４０４の下側には、各種類の結線の実線または点線の別を示すタイプ設定領域が表示されている。「変更量」４０５の下側には、各種類の結線の濃さの変更量を設定するための変更量設定領域が表示されている。
【００２３】
例えば、４１１はポートと結線の種類の１つであるイーサネットに割当てられる色などを設定するための行である。ユーザは、ボタン４１２をオンすることにより、後述する図５の画面でイーサネットのポートの色を設定できる。なお、ボタン４１２の中には、現在割当てられている色が表示される。領域４１３で結線の太さを、領域４１４で結線の種類を、領域４１５で結線の濃さの変更量を、それぞれ設定できる。結線の濃さの変更量の設定は、領域４１５のリストボックスで、「そのまま」、「やや濃く」、「濃く」、または「非常に濃く」の４つの選択肢の中から１つを選択することで設定する。これらの選択肢は、結線の色を、ボタン４１２をオンして設定したポートの色に対して、「そのまま」、「やや濃く」、「濃く」、または「非常に濃く」することを指示するものである。このような結線の濃さの変更量については後に詳述する。
【００２４】
以上のようにして各種類のポート及び結線の色などを設定した後、ＯＫボタン４２１をオンすると、その設定がプレファレンスデータとして上書きされて画面４００が閉じる。プレファレンスデータは、ポート及び結線の種類毎の色の設定を保存しておくデータである。プレファレンスデータが書き替えられると、その色の設定に基づいて図３の構成画面３００のポートと結線が再表示される。Cancelボタン４２２をオンすると、設定が無効とされて（プレファレンスデータは書き替えられることなく）画面４００が閉じる。
【００２５】
図５は、図４の「Color」４０２の下側に表示されている各種類毎の色の設定ボタン（例えば４１２）をオンしたときに表示される色選択用画面５００の例を示す。この画面５００により、図４の画面でオンした設定ボタンに対応する種類のポートの色を設定できる。
【００２６】
５０１は基本となる色見本であり、６行８列で４８個の基本的な色見本（予めプリセットされたもの）を表示している。ユーザは、マウスカーソルを合わせてクリックすることにより４８個の色見本５０１の中から１つを選択することができる。５０３は色見本５０２が選択状態にあることを示す枠である。何れかの色見本５０１が選択された状態でＯＫボタン５２４をクリックすると、選択された色見本の色が当該種類のポートの色として設定される。キャンセルボタン５２５は、画面５００による色の設定をキャンセルするボタンである。
【００２７】
色見本５０１を用いる代りにユーザ自らが任意の色を定義できる。「Custom colors」と見出しが付けられた２行８列の矩形５２２は、１６個のカスタム色が定義できる領域である。これらの矩形５２２のうちの１つをマウスでクリックして選択状態とし、カスタム色定義（Define Custom Colors）ボタン５２３をクリックすることにより、任意の色を定義できる。定義したカスタム色の矩形５２２から１つを選択状態として、ＯＫボタン５２４をクリックすると、選択されたカスタム色が当該種類のポートの色として設定される。
【００２８】
カスタム色定義ボタン５２３をクリックしたときのカスタム色の定義の仕方について説明する。５０４は、横方向の位置で色相（Hue：色合い）を示し、縦方向の位置で彩度（Saturation：鮮やかさ）を示す領域である。この領域５０４の中の何れかの位置をマウスでクリックすると、十字ポインタ５０５がその位置にセットされ、その位置に応じた色相と彩度が設定される。５０６は、縦方向の位置で明度（Value of Brightness：明るさ）を設定するための領域である。この領域５０６内の何れかの位置をマウスでクリックすると、三角印５０７がその位置にセットされ、その位置に応じた明度が設定される。領域５０４及び領域５０６で設定された色相、彩度、及び明度は数値化され、順にその設定値が数値表示領域５０９，５１０，５１１に表示される。なお、この実施形態では、色相は０〜２３９、彩度は０〜２４０、明度は０〜２４０の範囲の設定値で表現する。数値表示領域５１２，５１３，５１４は、ＲＧＢ（赤緑青）の輝度値を表示する領域である。ＲＧＢの輝度値は０〜２５５の範囲の設定値で表現する。
【００２９】
領域５０４及び５０６で色相、彩度、及び明度が設定されると、それに基づいて算出された色相、彩度、及び明度の設定値が数値表示領域５０９，５１０，５１１に表示され、さらにその色相、彩度、及び明度の設定値から算出したＲＧＢの輝度値が数値表示領域５１２，５１３，５１４に表示される。数値表示領域５０９，５１０，５１１に色相、彩度、及び明度の設定値を直接入力すると、その色相、彩度、及び明度の設定値から算出したＲＧＢの輝度値が数値表示領域５１２，５１３，５１４に表示され、さらにその色相、彩度、及び明度の設定値に基づく位置に領域５０４の十字ポインタ５０５と領域５０６の三角印５０７がセットされる。同様に、数値表示領域５１２，５１３，５１４にＲＧＢの輝度値を直接入力すると、その輝度値から算出した色相、彩度、及び明度の設定値が数値表示領域５０９，５１０，５１１に表示され、さらにその色相、彩度、及び明度の設定値に基づく位置に領域５０４の十字ポインタ５０５と領域５０６の三角印５０７がセットされる。５０８は、上述したように定義した色自体を表示する領域である。以上のようにカスタム色を定義し、Add to Custom Colorsボタン５２１をクリックすると、１６個の矩形５２２の中の選択状態にある矩形に、その定義したカスタム色が割り当てられる。
【００３０】
ここで結線の色の濃さの変更量について説明する。上記図５の画面５００で、各種類のポートの色を定義できる。そのポートに対応する結線の色の濃さは、上述したように、図４の「変更量」４０５の下側のリストボックス（４１５など）の設定に基づいて決定される。具体的には、まず結線の色の色相と彩度は、ポートの色の色相と彩度と同じとする。明度は、ポートの色の明度をＶとしたとき、「変更量」４０５の下側のリストボックスの各選択肢に応じて以下のように算出する。
・「そのまま」のときは、結線の明度＝Ｖ
・「やや濃く」のときは、結線の明度＝０．９×Ｖ
・「濃く」のときは、結線の明度＝０．８×Ｖ
・「非常に濃く」のときは、結線の明度＝０．７×Ｖ
これにより、「そのまま」「やや濃く」「濃く」「非常に濃く」の順にポートの明度より徐々に暗くした明度で結線が表示されることになる。なお、ここでは濃さを４段階に分けたが、何段階に分けるかは任意である。ポートの明度Ｖに乗算する係数も任意であり、その係数そのものを数値入力させてもよい。ポートの明度Ｖから所定値を減算して結線の明度を決める方式でもよい。要するに、見た目でポートよりも結線が濃く見えるように設定すればよい。
【００３１】
また、ポートの色に対して結線の色を見た目で濃くする方式としては、上記の明度で調整する代りに彩度で調整してもよい。彩度は０〜２４０の範囲で、彩度＝０で無色、０から数値が大きくなるほど鮮やかになっていき、彩度＝２４０で原色となる。従って、ポートの彩度に対して結線の彩度が大きくなるように、所定割合だけ増加させたり、所定値を加算させたりすればよい。さらに、明度と彩度の両方を調整してもよい。また、図４では「変更量」４０５の下側のリストボックスで結線の濃さ変更量をユーザが指定できるようにしたが、ユーザに指定させずに、予め決められた方式で結線の濃さを決定してもよい。濃さの変更量を全体で１つのみ決めておき、ポートにどのような色が割当てられても、前記変更量で濃くした色を当該ポートの結線に適用するようにしてもよい。
【００３２】
図６は、各機器の要素オブジェクトの表示処理の手順を示す。この処理は、図３の構成画面において、ＰＣや電子楽器などの機器の要素オブジェクトを呼び出す指示が為されたときに実行される。ステップ６０１で、呼び出された機器の要素オブジェクトを表示する。ステップ６０２で、その要素オブジェクト上の各ポートをその種類の色で表示する。種類毎のポートの色は、プレファレンスデータから取得する。
【００３３】
図７は、結線の表示処理の手順を示す。この処理は、図３の構成画面において、要素オブジェクトのポート間に結線を引く指示が為されたときに実行される。ステップ７０１で、結線する対象として選択されているポートの種類を検出する。ステップ７０２で、その種類の変更量が「そのまま」に設定されているか判別する。そうでないときは、ステップ７０３で、そのポートの種類に割当てられている色と変更量に基づいて結線の色を決定する。この決定方法は、変更量が「やや濃く」「濃く」「非常に濃く」のそれぞれの場合に、結線の明度をどのように求めるかについての上述の説明の通りに行う。ステップ７０４で、選択されているポート間に、決定された色の結線を表示する。ステップ７０２で変更量が「そのまま」に設定されているときは、ステップ７０５で、そのポートの種類に割当てられている色をそのまま結線の色として決定する。ステップ７０６で、選択されたポート間に、決定された色の結線を表示する。
【００３４】
図８は、ポート及び結線の色の設定処理の流れを示す。この処理は、図５の画面５００で色の設定を行い、さらに図４の画面４００でＯＫボタン４２１をクリックして、その色の設定を有効にしたときに実行される。まずステップ８０１で、変更された色の設定をプリファレンスデータへ上書きする。ステップ８０２で、図３のような構成画面上から色の設定が変更されている種類のポートを検出する。ステップ８０３で、検出したポートの色を新たに設定された色へ変更する。ステップ８０４で、その種類のポートに結線されている線を検出する。ステップ８０５で、その種類の変更量が「そのまま」に設定されているか否か判別する。「そのまま」に設定されている場合のステップ８０８，８０９の処理は、図７のステップ７０５，７０６と同じである。「そのまま」でないとき、すなわち「やや濃く」「濃く」「非常に濃く」の場合のステップ８０６，８０７の処理は、図７のステップ７０３，７０４と同じである。
【００３５】
図９は、変更量の設定処理の手順を示す。この処理は、図５の画面５００で色の設定（特に変更量の設定）を行い、さらに図４の画面４００でＯＫボタン４２１をクリックして、その色の設定を有効にしたときに実行される。まずステップ９０１で、変更された変更量の設定をプリファレンスデータへ上書きする。ステップ９０２で、図３のような構成画面上から変更量の設定が変更されている種類のポートを検出する。ステップ９０３で、その種類の変更量が「そのまま」に設定されているか否か判別する。「そのまま」に設定されている場合のステップ９０６，９０７の処理は、図７のステップ７０５，７０６と同じである。「そのまま」でないとき、すなわち「やや濃く」「濃く」「非常に濃く」の場合のステップ９０４，９０５の処理は、図７のステップ７０３，７０４と同じである。
【００３６】
なお、上記実施形態では、各種の機器を組み合わせて構成する音響システムの構成画面を作成編集する場合に対して本発明を適用した例を説明したが、本発明は、種々の音響信号処理機能を組み合わせる音響システムであればどのようなものにでも適用できる。例えば、構成画面上に種々のコンポーネント（ミキサシステムを構成する部品要素であり、例えばｎ入力ｍ出力のミキサ、コンプレッサ、エフェクト、クロスオーバなどのオーディオプロセッサ、フェーダ、スイッチ、パン、メータなど）を配置して結線することによりミキサシステムを定義するものが知られているが、その場合の各コンポーネントのポートと結線の色に対して本発明を適用することもできる。
【００３７】
また、上記実施形態では、ポート（ポートオブジェクト）の明度や彩度を変更して、ポートの色に対して結線（ワイヤオブジェクト）の色を見た目で濃くする例を説明したが、これに限らず、本発明は、ポートオブジェクトの色を任意に設定し、ワイヤオブジェクトの色を、当該ワイヤオブジェクトにより結線されているポートオブジェクトの色の一部の特性を変更することにより設定するものを含むものである。
【図面の簡単な説明】
【００３８】
【図１】本発明の一実施形態である音響システムの構成例を示す図
【図２】管理ソフトウェアをインストールしているＰＣの概略構成を示す図
【図３】音響システムの全体構成を作成編集する構成画面の例を示す図
【図４】ポート及び結線の種類毎の色を設定する設定画面の例を示す図
【図５】色選択用画面の例を示す図
【図６】要素オブジェクトの表示処理の手順を示すフローチャート
【図７】結線の表示処理の手順を示すフローチャート
【図８】ポート及び結線の色の設定処理の流れを示すフローチャート
【図９】変更量の設定処理の手順を示すフローチャート
【符号の説明】
【００３９】
１０１…ＰＣ、１０２…電子楽器、１０３…ＣＤプレーヤ、１０４…マイク、１０５…ワードクロックマスター、１０６，１０７，１０８…ミキサエンジン、１０９，１１０…パワーアンプ、１１１，１１２…スピーカ群。
【図１】
0004655310.tif 000002
【図２】
0004655310.tif 000003
【図３】
0004655310.tif 000004
【図４】
0004655310.tif 000005
【図５】
0004655310.tif 000006
【図６】
0004655310.tif 000007
【図７】
0004655310.tif 000008
【図８】
0004655310.tif 000009
【図９】
0004655310.tif 000010